(57)【要約】【課題】ハードタイプスーツケース構成を提供する。【解決手段】底面、側面、及び天井面により画設される収納空間及び天井面に設けられると共に開口縁端部からなる開口部を有するスーツケース本体、スーツケース本体の開口部に開くように枢設されると共に平面及び前記開口縁端部に対応する蓋体縁端部を有する蓋体、スーツケース本体と蓋体との間に設置されると共に開口縁端部に構設される第一ファスナー、蓋体縁端部に構設される第二ファスナー、及び第一ファスナーと第二ファスナーとの間に移動可能に構設されると共に第一ファスナー及び第二ファスナーの開け閉めを行う少なくとも１つのスライダーを有するファスナー、及びスーツケース本体の底面に設置される複数のキャスターを備える。スーツケースを直立状態或いは横置状態にして開けて物の出し入れを行えるため、有用性が高まる。スーツケースが直立状態で開けられた場合でもスーツケースは倒れにくい。また、コストも低下する。【選択図】図３
2016112172.tif 000002
【特許請求の範囲】
【請求項１】
底面、側面、及び天井面により画設される収納空間、及び前記天井面に設けられると共に開口縁端部からなる開口部を有するスーツケース本体と、
前記スーツケース本体の開口部に開けるように枢設されると共に平面及び前記開口縁端部に対応する蓋体縁端部を有する蓋体と、
前記スーツケース本体と蓋体との間に設置されると共に前記開口縁端部に構設される一対の第一ファスナー、前記蓋体縁端部に構設される一対の第二ファスナー、及び前記第一ファスナーと第二ファスナーとの間に移動可能に構設されると共に前記第一ファスナー及び第二ファスナーの閉めと解離を行う少なくとも１つのスライダーを有するファスナーと、
前記スーツケース本体の底面に設置される複数のキャスターを備えることを特徴とする、
ハードタイプスーツケース構成。
【請求項２】
前記スーツケース本体は前ケース及び後ケースで構成されることを特徴とする、請求項１記載のハードタイプスーツケース構成。
【請求項３】
前記スーツケース本体の開口縁端部には、前記後ケースに設けられる後端開口縁端部、及び前記前ケースに設けられる前端開口縁端部を有し、前記蓋体の蓋体縁端部には、前記後端開口縁端部に対応する後端蓋体縁端部、及び前記前端開口縁端部に対応する前端蓋体縁端部を有し、且つ前記後端開口縁端部と前記後端蓋体縁端部との間にはピン継手板が設置されることを特徴とする、請求項２記載のハードタイプスーツケース構成。
【請求項４】
前記スーツケース本体の開口縁端部には、前記後ケースに設けられる後端開口縁端部、及び前記前ケースに設けられる前端開口縁端部を有し、前記蓋体の蓋体縁端部には、前記後端開口縁端部に対応する後端蓋体縁端部、及び前記前端開口縁端部に対応する前端蓋体縁端部を有し、且つ前記前端開口縁端部と前記前端蓋体縁端部との間にはピン継手板が設置されることを特徴とする、請求項２記載のハードタイプスーツケース構成。
【請求項５】
前記前ケースと後ケースとの間は結合部材により縫い合わされて一体になることを特徴とする、請求項２記載のハードタイプスーツケース構成。
【請求項６】
前記蓋体は、前記平面に凹設される凹部、及び前記凹部に設置されると共に引き出された状態と収納された状態との間で操作されるハンドルを更に有し、前記ハンドルは引き出された状態では前記ハンドルの一部が前記平面から突出し、逆に前記ハンドルが収納された状態では前記ハンドルは前記平面より低くなることを特徴とする、請求項１または２に記載のハードタイプスーツケース構成。
【請求項７】
前記蓋体の平面は前記スーツケース本体の底面に平行になることを特徴とする、請求項１または２に記載のハードタイプスーツケース構成。
【請求項８】
前記キャスターが地面に静置されると、前記蓋体の平面は前記地面に平行になることを特徴とする、請求項１または２に記載のハードタイプスーツケース構成。
【発明の詳細な説明】
【技術分野】
【０００１】
本発明は、ハードタイプスーツケース構成に関する。
【背景技術】
【０００２】
図１は従来ハードタイプスーツケースが開いた状態を示す。スーツケース１１、一端によりスーツケース１１に枢設される蓋体１２、スーツケース１１と蓋体１２との間に設置されると共にスーツケース１１と蓋体１２の閉めと解離を行うファスナー１３、及びスーツケース１１の底面１１１並びに蓋体１２の底面１２１にそれぞれ装設される複数のキャスター１４を備える。使用者はファスナー１３を開いて物をハードタイプスーツケース内に入れる。
【発明の概要】
【発明が解決しようとする課題】
【０００３】
しかしながら、前述した従来のハードタイプスーツケースでは、実際の使用においては、早急な改善が求められる以下の欠点を有する。
（１）スーツケース１１及び蓋体１２の上下左右の各側辺はファスナー１３により閉めと解離が行われ、且つ各キャスター１４はスーツケース１１の底面１１１及び蓋底１２の底面１２１にそれぞれ装設される。このため、スーツケースが直立した状態ではキャスター１４が地面に接触し、一旦ファスナー１３により解離されると、スーツケース１１と蓋体１２とは左右に解離した状態になり、スーツケース内の物がスーツケース１１或いは蓋体１２内から直接飛び出してしまう。このため、従来のスーツケースは横置状態（図１参照）で使用せねばならず、横置状態でスーツケースを開けて物の出し入れを行うのでは有用性が明らかに低い。
（２）同様に、スーツケースが直立状態で開けられると、スーツケース１１と蓋体１２とは左右に開いた状態になる。この際、スーツケース１１の底面１１１及び蓋体１２の底面１２１にそれぞれ装設されるキャスター１４が移動してしまい、各前記キャスター１４の相対的な位置関係が変化し、スーツケースが傾倒して直立しなくなる。特に、各キャスター１４が同じ直線上にある場合にスーツケースの傾倒が発生しやすく、スーツケースの開け方が制限されてしまい、有用性が明らかに劣る。
（３）図２は従来のハードタイプスーツケースを側視した状態である。スーツケース１１及び蓋体１２はファスナー１３により閉めと解離が行われる以外、スーツケース１１及び蓋体１２の同じ側辺は２つのヒンジ１５により枢設されて一体となる。スーツケース１１及び蓋体１２に同時に物を入れるために、スーツケース１１と蓋体１２との枢設の安定性を上げ、スーツケース１１と蓋体１２とが分離しないようにするため、２つのヒンジ１５によりスーツケース１１と蓋体１２とを枢設させて一体する必要がある。２つのヒンジ１５を増設させることでスーツケースのコストが増加する。
【０００４】
そこで、本発明者は上記の欠点が改善可能と考え、鋭意検討を重ねた結果、合理的設計で上記の課題を効果的に改善する本発明の提案に到った。
【０００５】
本発明は、以上の実情に鑑みなされたものであって、上記課題解決のため、本発明は、ハードタイプスーツケース構成を提供することを主目的とする。主にスーツケースが直立或いは横置状態でも開けて物の出し入れをしやすくし、有用性を高める。
【０００６】
本発明の他の目的は、主にスーツケースが直立状態で開けられても傾倒しにくいハードタイプスーツケース構成を提供する。
【０００７】
本発明のさらなる他の目的は、コストを削減させるハードタイプスーツケース構成を提供する。
【課題を解決するための手段】
【０００８】
上述した課題を解決し、目的を達成するために、本発明に係るハードタイプスーツケースは、底面、側面、及び天井面により画設される収納空間、及び前記天井面に設けられると共に開口縁端部からなる開口部を有するスーツケース本体と、前記スーツケース本体の開口部に開けるように枢設されると共に平面及び前記開口縁端部に対応する蓋体縁端部を有する蓋体と、前記スーツケース本体と蓋体との間に設置されると共に前記開口縁端部に構設される一対の第一ファスナー、前記蓋体縁端部に構設される一対の第二ファスナー、及び前記第一ファスナーと第二ファスナーとの間に移動可能に構設されると共に前記第一ファスナー及び第二ファスナーの閉めと解離を行う少なくとも１つのスライダーを有するファスナーと、前記スーツケース本体の底面に設置される複数のキャスターを備えることを特徴とする。
【０００９】
好ましくは、スーツケース本体は前ケース及び後ケースで構成される。
【００１０】
好ましくは、スーツケース本体の開口縁端部には、後ケースに設けられる後端開口縁端部、及び前ケースに設けられる前端開口縁端部を有し、蓋体の蓋体縁端部には、後端開口縁端部に対応する後端蓋体縁端部、及び前端開口縁端部に対応する前端蓋体縁端部を有し、且つ後端開口縁端部と後端蓋体縁端部との間にはピン継手板が設置される。
【００１１】
好ましくは、スーツケース本体の開口縁端部には、後ケースに設けられる後端開口縁端部、及び前ケースに設けられる前端開口縁端部を有し、蓋体の蓋体縁端部には、後端開口縁端部に対応する後端蓋体縁端部、及び前端開口縁端部に対応する前端蓋体縁端部を有し、且つ前端開口縁端部と前端蓋体縁端部との間にはピン継手板が設置される。
【００１２】
好ましくは、前ケースと後ケースとの間は結合部材により縫い合わされて一体になる。
【００１３】
好ましくは、蓋体は、平面に凹設される凹部、及び凹部に設置されると共に引き出された状態と収納された状態との間で操作されるハンドルを更に有し、ハンドルは引き出された状態ではハンドルの一部が平面から突出し、逆にハンドルが収納された状態ではハンドルは平面より低くなる。
【００１４】
好ましくは、蓋体の平面はスーツケース本体の底面に平行になる。
【００１５】
好ましくは、キャスターが地面に静置されると、蓋体の平面は地面に平行になる。
【図面の簡単な説明】
【００１６】
【図１】従来のハードタイプスーツケースが開いた状態の傾斜図である。
【図２】従来のハードタイプスーツケースの側面図である。
【図３】本発明の第１実施形態によるハードタイプスーツケースを示す外観斜視図である。
【図４】本発明の第１実施形態の蓋体が開いた状態の外観斜視図である。
【図５】本発明の第１実施形態の蓋体にある平面にノートパソコンを置いた状態の側面図である。
【図６】本発明の第１実施形態のハンドルを使用する状態図である。
【図７】本発明の第１実施形態のケース本体が一体成形される傾斜図である。
【図８】本発明の第２実施形態の蓋体が開いた状態の外観斜視図である。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１８】
（第１実施形態）
以下、第１実施形態を図３〜５に基づいて説明する。本発明に係るハードタイプスーツケース構成は、主にスーツケース本体２０、蓋体３０、ファスナー４０、及び４つのキャスター５０で構成される。なお、スーツケース本体２０は底面２１、側面２２、並びに天井面２３により画設される収納空間２４、及び天井面２３に設けられると共に開口縁端部２５１からなる開口部２５を有する。
本実施形態によると、スーツケース本体２０は前ケース２０１及び後ケース２０２で構成され、且つ前ケース２０１と後ケース２０２との間は結合部材２６により縫い合わされて一体になる。結合部材２６はファスナーであるが、但しこれに限定されず、当然ながらスーツケース本体２０は一体成型でもよい（図７参照）。このほか、スーツケース本体２０の開口縁端部２５１には後ケース２０２に設けられる後端開口縁端部２５１２、及び前ケース２０１に設けられる前端開口縁端部２５１１を有する。
【００１９】
また、蓋体３０はスーツケース本体２０の開口部２５に開けるように枢設されると共に平面３１及び開口縁端部２５１に対応する蓋体縁端部３２を有する。本発明における蓋体３０の蓋体縁端部３２は後端開口縁端部２５１２に対応する後端蓋体縁端部３２２、及び前端開口縁端部２５１１に対応する前端蓋体縁端部３２１を有し、且つ前端開口縁端部２５１１と前端蓋体縁端部３２１との間にはピン継手板６１が設置される。また、蓋体３０の平面３１はスーツケース本体２０の底面２１に平行になり、スーツケース本体２０が直立状態を呈すると、平面３１は水平状態になる。
【００２０】
さらに、ファスナー４０はスーツケース本体２０と蓋体３０との間に設置され、且つ開口縁端部２５１に構設される第一ファスナー４１、蓋体縁端部３２に構設される第二ファスナー４２、及び第一ファスナー４１と第二ファスナー４２との間に移動可能に構設されると共に第一ファスナー４１と第二ファスナー４２との閉めと解離を行う一対のスライダー４３を有する。
説明が必要な点は、スーツケース本体２０の後端開口縁端部２５１２と蓋体３０の後端蓋体縁端部３２２との間にピン継手板６１が設置されるため、一対のスライダー４３がスーツケース本体２０の後端開口縁端部２５１２及び蓋体３０の後端蓋体縁端部３２２まで引かれるとピン継手板６１により止められ、スライダー４３が引かれる過程で一対のスライダー４３が第一ファスナー４１及び第二ファスナー４２から脱離するのを防ぐ点である。
【００２１】
４つのキャスター５０はスーツケース本体２０の底面２１に設置され、且つ各キャスター５０が地面６６に静置されると、蓋体３０の平面３１は地面６６に平行になり、本発明に係るハードタイプスーツケースが直立状態で蓋体３０の平面３１が水平状態を呈する。
【００２２】
以上が本発明の第１実施形態に係る主な部材の構造及び形態の説明である。本発明の使用方式及び効果については以下に説明する。
【００２３】
（一）本発明に係るスーツケース本体２０の天井面２３には開口部２５が設けられ、且つスーツケース本体２０の底面２１には４つの前記キャスター５０が設置される。これにより、各キャスター５０が地面６６に静置されるとスーツケース本体２０は直立状態を呈する。この際、スライダー４３が引かれると第一ファスナー４１及び第二ファスナー４２が解離され、蓋体３０が開かれる。蓋体３０が開かれても、スーツケース本体２０内の物はスーツケース本体２０の天井面２３の開口部２５から飛び出さなくなり、本発明に係るスーツケースが直立状態になり蓋体３０が開かれた状態でも物の出し入れが可能になり、スーツケースを一々横置状態にしてから開ける必要がなくなる。当然ながら、本発明に係るスーツケースが横置状態でも同様に蓋体３０を開けて物の出し入れが可能であり、スーツケースが直立状態或いは横置状態で物の出し入れを可能にし、有用性を高める目的を達成させる。
【００２４】
（二）同様に、本発明に係るスーツケース本体２０の天井面２３には開口部２５が設けられ、スーツケース本体２０の底面２１には４つのキャスター５０が設置され、スーツケース本体２０の天井面２３の開口部２５には開ける蓋体３０が設置される。これにより、スーツケース本体２０が直立状態で且つ蓋体３０が開けられた場合、前記スーツケース本体２０の底面２１の４つのキャスター５０の相対的な位置関係が変化せず、スーツケース本体２０は直立状態を保持させ、傾倒しにくくなる。
【００２５】
（三）本発明に係る蓋体３０はスーツケース本体２０の天井面２３の開口部２５に開けるように枢設され、且つ蓋体３０は物を置くためには使用されない。このため、蓋体３０とスーツケース本体２０との間の枢設は、ファスナー４０或いはピン継手板６１が枢設されて連結されることで達成される。強度は高いがコストも高いヒンジにより枢設させて連結させる必要がなくなり、コスト削減の目的を達成させる。
【００２６】
ちなみに、図５に示すように、各キャスター５０が地面６６に静置され、スーツケースが直立状態を呈すると、蓋体３０の平面３１は地面６６に平行になる。これにより、蓋体３０の平面３１に、例えば図５の例のようにノートパソコン等の物６８が置けるようになり、且つ物６８が蓋体３０の平面３１から自然に滑落することがなく、スーツケースの機能性を向上させる。
【００２７】
さらに、蓋体３０は平面３１に凹設される凹部３３、及び凹部３３に設置されると共に引き出された状態と収納された状態との間で操作されるハンドル３４を更に有する。ハンドル３４が引き出された状態では、ハンドル３４の一部が平面３１から突出し、ハンドル３４が収納された状態では、ハンドル３４は平面３１より低くなり、スーツケースが直立状態にある場合に蓋体３０の平面３１に安定的に物６８を置ける（図３、図５及び図６参照）。
【００２８】
（第２実施形態）
図８は、本発明の第２実施形態に係るハードタイプスーツケース構成である。同様にスーツケース本体２０、蓋体３０、ファスナー４０、及び４つのキャスター５０で構成される。
第１実施形態と異なる箇所は、スーツケース本体２０の開口縁端部２５１には、後ケース２０２に設けられる後端開口縁端部２５１２、及び前ケース２０１に設けられる前端開口縁端部２５１１を有し、蓋体３０の蓋体縁端部３２には後端開口縁端部２５１２に対応する後端蓋体縁端部３２２、及び前端開口縁端部２５１１に対応する前端蓋体縁端部３２１を具備し、且つ後端開口縁端部２５１２と後端蓋体縁端部３２２との間にはピン継手板６１が設置され、即ち第２実施形態による蓋体３０及びスーツケース本体２０は互いに枢設される方向が第１実施形態とは異なり、蓋体３０がスーツケース本体２０に対して開く方向が異なる点である。
【００２９】
以上、本発明の実施形態について図面を参照して詳述したが、具体的な構成はこの実施形態に限られるものではなく、本発明の要旨を逸脱しない範囲の設計変更等も含まれる。
【符号の説明】
【００３０】
１１      スーツケース
１１１    底面
１２      蓋体
１２１    底面
１３      ファスナー
１４      キャスター
１５      ヒンジ
２０      ケース
２０１    前ケース
２０２    後ケース
２１      底面
２２      側面
２３      天井面
２４      収納空間
２５      開口部
２５１    開口縁端部
２５１１  前端開口縁端部
２５１２  後端開口縁端部
２６      結合部材
３０      蓋体
３１      平面
３２      蓋体縁端部
３２１    前端蓋体縁端部
３２２    後端蓋体縁端部
３３      凹部
３４      ハンドル
４０      ファスナー
４１      第一ファスナー
４２      第二ファスナー
４３      スライダー
５０      キャスター
６１      ピン継手板
６６      地面
６８      物
【図１】
2016112172.tif 000003
【図２】
2016112172.tif 000004
【図３】
2016112172.tif 000005
【図４】
2016112172.tif 000006
【図５】
2016112172.tif 000007
【図６】
2016112172.tif 000008
【図７】
2016112172.tif 000009
【図８】
2016112172.tif 000010